【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】  水酸官能基を含んだ外面を有する繊維強化下地と、
結合面を有するフルオロハイドロカーボンフィルムと、
下地の外面とフルオロハイドロカーボンフィルムの結合面との間に位置決めされてそれらの間に結合が形成されるようになされた第１の接着剤層と
を含む建築材料アセンブリであって、
接着剤がイソシアネート化合物を含み、イソシアネート化合物がフルオロハイドロカーボンフィルムの結合面を濡らしてフィルムの結合面の処理を必要とすることなしにフィルムと物理的結合を形成し、接着剤がさらに、イソシアネート化合物と水酸官能基との化学結合が形成されるようにイソシアネート化合物と下地の水酸官能基との間の反応に触媒作用を及ぼす触媒を含む、建築材料アセンブリ。
【請求項２】  繊維強化下地が繊維セメント下地を含む、請求項１に記載の建築材料アセンブリ。
【請求項３】  繊維強化下地が木質材料を含む、請求項１に記載の建築材料アセンブリ。
【請求項４】  フルオロハイドロカーボンフィルムがポリフッ化ビニルフィルムを含む、請求項１に記載の建築材料アセンブリ。
【請求項５】  フルオロハイドロカーボンフィルムの厚さが約０．００１５〜０．００８インチである、請求項４に記載の建築材料アセンブリ。
【請求項６】  フルオロハイドロカーボンフィルムの厚さが、約０．００１５〜０．００８インチである、請求項５に記載の建築材料アセンブリ。
【請求項７】  第１の接着剤層の厚さが約０．００１〜０．００５インチである、請求項１に記載の建築材料アセンブリ。
【請求項８】  繊維強化下地が、下地の外面の側縁から実質上垂直に延びる複数の側面をさらに含み、第２の接着剤層が、下地の側面とフィルムの結合面との間に位置決めされてそれらの間に結合が形成されるようになされた、請求項１に記載の建築材料アセンブリ。
【請求項９】  第２の接着剤層がホットメルトポリウレタン接着剤を含む、請求項８に記載の建築材料アセンブリ。
【請求項１０】  ホットメルトポリウレタン接着剤層の厚さが約０．００２〜０．０２０インチである、請求項９に記載の建築材料アセンブリ。
【請求項１１】  接着剤中に存在するイソシアネート化合物が化合物の全重量の約１０乃至３３重量％の−ＮＣＯ官能基を有する、請求項１に記載の建築材料アセンブリ。
【請求項１２】  イソシアネート化合物が約２．０乃至３．５の官能価の−ＮＣＯ官能基を有する、請求項１に記載の建築材料アセンブリ。
【請求項１３】  外面を有する下地と、
結合面を有するフルオロハイドロカーボンフィルムと、
下地の外面とフルオロハイドロカーボンフィルムの結合面との間に位置決めされてそれらの間に結合が形成されるようになされた第１の接着剤層と
を含む建築材料アセンブリであって、
接着剤が、イソシアネート化合物、水酸官能基を含有するポリオール、触媒を含み、触媒が、ポリウレタンをベースとしたポリマーが形成されるようにイソシアネート化合物と水酸官能基との間の反応に触媒作用を及ぼし、ポリマーが、フィルムの結合面の処理を必要とすることなしにフィルムおよび下地と物理的に係合して結合する、建築材料アセンブリ。
【請求項１４】  下地が繊維セメント材料を含む、請求項１３に記載の建築材料アセンブリ。
【請求項１５】  下地がプラスチック材料を含む、請求項１３に記載の建築材料アセンブリ。
【請求項１６】  下地が金属材料を含む、請求項１３に記載の建築材料アセンブリ。
【請求項１７】  下地が木質材料を含む、請求項１３に記載の建築材料アセンブリ。
【請求項１８】  フルオロハイドロカーボンフィルムがポリフッ化ビニルフィルムを含む、請求項１３に記載の建築材料アセンブリ。
【請求項１９】  下地が、下地の外面の側縁から実質上垂直方向に延びる側面をさらに含み、フィルムが外面の側縁に巻き付いて側面を横切って延びる、請求項１３に記載の建築材料アセンブリ。
【請求項２０】  フルオロハイドロカーボンフィルムが触媒層を含む、請求項１３に記載の建築材料アセンブリ。
【請求項２１】  触媒層が約０．００００５〜０．０００２インチの間である、請求項２０に記載の建築材料アセンブリ。
【請求項２２】  接着剤中に存在するイソシアネート化合物が化合物の全重量の約１０乃至３３重量％の−ＮＣＯ官能基を有する、請求項１３に記載の建築材料アセンブリ。
【請求項２３】  イソシアネート化合物が約２．０乃至４．０の官能価の−ＮＣＯ官能基を有する、請求項１３に記載の建築材料アセンブリ。
【請求項２４】  外面がテクスチャを有する下地の外面上に第１の接着剤混合物層を形成すること、
下地の外面の側縁から実質上垂直に延びる下地の側面上に第２の接着剤混合物層を形成すること、
下地の外面上にフルオロハイドロカーボンフィルムを配置すること、および
フィルムが下地の外面と側面に同時に結合するようフィルムに熱および圧力を加えること
を含む、請求項１又は１１に記載の建築材料アセンブリを形成する方法。
【請求項２５】  フィルムの非結合面上にゴムシートを配置することをさらに含み、ゴムシートによって、フィルムに対する下地の外面上へのテクスチャの転写が容易になる、請求項２４に記載の方法。
【請求項２６】  フィルムの非結合面上にゴムシートを配置することが、デュロメータが約１０〜１００ショアＡの間であり厚さが約１／１６インチ〜１／４インチの間であるゴムシートを配置することを含む、請求項２５に記載の方法。
【請求項２７】  フィルムを結合するために熱および圧力を加えることが、下地の外面に対してフィルムの第１のセクションをプレスする水平部材と、フィルムの第２のセクションを下地の側縁に巻き付けて下地の側面に対してプレスする複数の垂直部材とを有するプレスを使用することを含む、請求項２４に記載の方法。
【請求項２８】  プレスを使用することが、連続等圧プレスを使用することを含む、請求項２７に記載の方法。
【請求項２９】  水平部材が、ゴムシートで覆われた金属定盤を含み、垂直部材が複数のゴムベルトを含む、請求項２８に記載の方法。
【請求項３０】  フィルムの非結合面にゴムシートを配置することが、デュロメータが約１０〜１００ショアＡの間であり厚さが約１／１６インチ〜１／４インチの間であるゴムシートを配置することを含む、請求項２７に記載の方法。
【請求項３１】  ゴムベルトが、約１０〜１００ショアＡの間のデュロメータと、約１／１６インチ〜１インチの水平方向の厚さを有する、請求項２５に記載の方法。
【請求項３２】  垂直方向のゴムベルトの厚さが、下地に第２の接着剤層とフィルムを加えた厚さよりも厚い、請求項２９に記載の方法。
【請求項３３】  連続等圧プレスが、下地を受容するよう適合された上面を有する複数の支持材料をさらに含み、支持材料の幅が下地の幅よりも狭い、請求項２８に記載の方法。
【請求項３４】  フィルムに熱および圧力を加えることが、約３５０°Ｆ〜４５０°Ｆの間で約５秒〜５分間、約１５〜７００ｐｓｉ加えることを含む、請求項２４に記載の方法。
【請求項３５】  第１の接着剤混合物層を形成することが、反応性イソシアネート化合物と、イソシアネート化合物と水酸官能基との間の反応に触媒作用を及ぼすことが可能な触媒とを含んだ接着剤層を形成することを含む、請求項２４に記載の方法。
【請求項３６】  第２の接着剤混合物層を形成することが、反応性イソシアネート化合物と、イソシアネート化合物と水酸官能基との間の反応に触媒作用を及ぼすことが可能な触媒とを含んだ接着剤層を形成することを含む、請求項２４に記載の方法。
【請求項３７】  第２の接着剤混合物層を形成することが、ホットメルトポリウレタンベースの接着剤層を形成することを含む、請求項２４に記載の方法。